(57)【要約】【課題】放送終了後の不要な映像を記録することなく、所望する放送に関する映像の録画を行うことができる録画装置を実現する。【解決手段】録画装置１００において、受信部１０で受信した所定の放送に関する放送信号に基づく録画データを記録部２０に記録する際に、所定の放送が終了したことを示す終了信号を放送信号に基づき検出してから、その終了信号を所定の経過時間に相当する時間継続して検出した場合に、録画データを記録部２０に記録することを停止し、その所定の経過時間の間に記録部２０に記録されてしまった不要な録画データを記録部２０から消去することを可能にした。【選択図】図２
2006217115.tif 000002
【特許請求の範囲】
【請求項１】
所定の放送に関する放送信号を受信する受信部と、前記受信部が受信した前記放送信号に基づく音声データと画像データとからなる録画データを記録する記録部と、前記音声データに基づく音声を出力する音声出力部と、前記画像データに基づく画像を表示する画像表示部と、を備える録画装置において、
前記受信部が受信した前記放送信号に応じて、前記放送信号に同期信号が含まれていないこと、又は、前記放送信号における前記音声データが特定の周波数を有する音声信号であることと前記放送信号における前記画像データが特定の画像を表示する画像信号であること、又は、前記放送信号における前記音声データに基づく音声の変化量の割合が所定の割合範囲内であることと前記放送信号における前記画像データに基づく画像の変化量の割合が所定の割合範囲内であること、に基づき、所定の放送が終了したことを示す終了信号を検出する検出手段と、
前記検出手段が、前記終了信号を検出し続ける検出時間を計時する計時手段と、
前記計時手段が計時した前記検出時間が、第１の経過時間に達したか否かと、第２の経過時間に達したか否かを判断する判断手段と、
前記判断手段が、前記検出時間が第１の経過時間に達したと判断した場合に前記音声データに基づく音声を前記音声出力部から出力することを停止し、次いで、前記検出時間が第２の経過時間に達したと判断した場合に画像データに基づく画像を前記画像表示部に表示することを停止するとともに、前記録画データを記録部に記録することを停止し、前記計時手段が所定の経過時間を計時していた間に記録部に記録された録画データを消去する記録消去手段と、
を備えることを特徴とする録画装置。
【請求項２】
所定の放送に関する放送信号を受信する受信部と、前記受信部が受信した前記放送信号に基づく音声データと画像データとからなる録画データを記録する記録部と、を備える録画装置において、
前記受信部が受信した前記放送信号に基づき、所定の放送が終了したことを示す終了信号を検出する検出手段と、
前記検出手段が、前記終了信号を検出し続ける検出時間を計時する計時手段と、
前記計時手段が計時した前記検出時間が、所定の経過時間に達したか否かを判断する判断手段と、
前記判断手段が、前記検出時間が所定の経過時間に達したと判断した場合に、前記録画データを記録部に記録することを停止するとともに、前記計時手段が所定の経過時間を計時していた間に記録部に記録された録画データを消去する記録消去手段と、
を備えることを特徴とする録画装置。
【請求項３】
前記録画装置は、前記音声データに基づく音声を出力する音声出力部と、前記画像データに基づく画像を表示する画像表示部と、を備え、
前記判断手段は、前記計時手段が計時した前記検出時間が、第１の経過時間に達したか否かと、第２の経過時間に達したか否かを判断し、
前記記録消去手段は、前記判断手段により前記検出時間が第１の経過時間に達したと判断された場合に前記音声データに基づく音声を前記音声出力部から出力することを停止し、次いで、前記判断手段により前記検出時間が第２の経過時間に達したと判断された場合に前記画像データに基づく画像を前記画像表示部に表示することを停止するとともに、前記録画データを記録部に記録することを停止し、前記計時手段が所定の経過時間を計時していた間に記録部に記録された録画データを消去することを特徴とする請求項２に記載の録画装置。
【請求項４】
前記検出手段は、前記放送信号に同期信号が含まれていないことに基づき、前記終了信
号を検出することを特徴とする請求項２又は３に記載の録画装置。
【請求項５】
前記検出手段は、前記音声データが特定の周波数を有する音声信号であることと、前記画像データが特定の画像を表示する画像信号であることに基づき、前記終了信号を検出することを特徴とする請求項２又は３に記載の録画装置。
【請求項６】
前記検出手段は、前記音声データに基づく音声の変化量の割合が所定の割合範囲内であることと、前記画像データに基づく画像の変化量の割合が所定の割合範囲内であることに基づき、前記終了信号を検出することを特徴とする請求項２又は３に記載の録画装置。
【発明の詳細な説明】
【技術分野】
【０００１】
本発明は、録画装置に関する。
【背景技術】
【０００２】
従来、選局されたチャンネルの放送信号を受信するとともに、そのチャンネルの放送信号に応じた映像や音声を出力するテレビ受像機などの放送受信装置がある。
【０００３】
この放送受信装置において、受信する放送信号の同期信号を監視するとともに、その同期信号が検出されないことに基づき、選局されていたチャンネルの放送が終了し「砂嵐画面」になったものと判断し、ユーザの嗜好に合った他のチャンネルを自動的に選局する放送受信装置が知られている（例えば、特許文献１参照。）。
【０００４】
また、所望するチャンネルの放送信号を受信するとともに、そのチャンネルの放送信号に応じた映像などを録画する録画装置がある。
【０００５】
この録画装置において、ユーザが所望する映像などの録画中に、受信する放送信号の状態に応じて、選局されていたチャンネルの放送が終了し「砂嵐画面」や「カラーバー画面」などになったことを示す放送終了信号を検出したことに基づき、録画を停止する録画装置が知られている（例えば、特許文献２参照。）。
【特許文献１】特開２００３−１８４８４号公報
【特許文献２】特開２００３−３１９３１５号公報
【発明の開示】
【発明が解決しようとする課題】
【０００６】
しかしながら、上記特許文献１の場合、放送信号における同期信号が検出されないことに基づき、速やかに他のチャンネルを自動的に選局してチャンネルが切り替えられるようになっているので、同期信号の検出に関して、誤検出があった場合には、所望しないチャンネルの放送に切り替えられてしまうことがあり、ユーザの意に反したチャンネルの放送が行われてしまうことがあった。
【０００７】
つまり、この放送受信装置において受信した放送信号に基づく映像などを録画機器で録画していた場合には、所望しないチャンネルの放送の録画が行われてしまうこととなる。
【０００８】
また、上記特許文献２の場合、放送終了信号を検出したことに基づき、速やかに録画が停止されるようになっているので、放送終了信号の誤検出があった場合には、ユーザの意に反して録画が中止されてしまうことがあるという問題があった。
【０００９】
本発明の目的は、放送終了後の不要な映像を記録することなく、所望する放送に関する映像の録画を行うことができる録画装置を提供することである。
【課題を解決するための手段】
【００１０】
以上の課題を解決するため、請求項１記載の発明は、所定の放送に関する放送信号を受信する受信部と、前記受信部が受信した前記放送信号に基づく音声データと画像データとからなる録画データを記録する記録部と、前記音声データに基づく音声を出力する音声出力部と、前記画像データに基づく画像を表示する画像表示部と、を備える録画装置において、前記受信部が受信した前記放送信号に応じて、前記放送信号に同期信号が含まれていないこと、又は、前記放送信号における前記音声データが特定の周波数を有する音声信号であることと前記放送信号における前記画像データが特定の画像を表示する画像信号であること、又は、前記放送信号における前記音声データに基づく音声の変化量の割合が所定の割合範囲内であることと前記放送信号における前記画像データに基づく画像の変化量の
割合が所定の割合範囲内であること、に基づき、所定の放送が終了したことを示す終了信号を検出する検出手段と、前記検出手段が、前記終了信号を検出し続ける検出時間を計時する計時手段と、前記計時手段が計時した前記検出時間が、第１の経過時間に達したか否かと、第２の経過時間に達したか否かを判断する判断手段と、前記判断手段が、前記検出時間が第１の経過時間に達したと判断した場合に前記音声データに基づく音声を前記音声出力部から出力することを停止し、次いで、前記検出時間が第２の経過時間に達したと判断した場合に画像データに基づく画像を前記画像表示部に表示することを停止するとともに、前記録画データを記録部に記録することを停止し、前記計時手段が所定の経過時間を計時していた間に記録部に記録された録画データを消去する記録消去手段と、を備えることを特徴とする。
【００１１】
請求項２記載の発明は、所定の放送に関する放送信号を受信する受信部と、前記受信部が受信した前記放送信号に基づく音声データと画像データとからなる録画データを記録する記録部と、を備える録画装置において、前記受信部が受信した前記放送信号に基づき、所定の放送が終了したことを示す終了信号を検出する検出手段と、前記検出手段が、前記終了信号を検出し続ける検出時間を計時する計時手段と、前記計時手段が計時した前記検出時間が、所定の経過時間に達したか否かを判断する判断手段と、前記判断手段が、前記検出時間が所定の経過時間に達したと判断した場合に、前記録画データを記録部に記録することを停止するとともに、前記計時手段が所定の経過時間を計時していた間に記録部に記録された録画データを消去する記録消去手段と、を備えることを特徴とする。
【００１２】
請求項３記載の発明は、請求項２に記載の録画装置において、前記録画装置は、前記音声データに基づく音声を出力する音声出力部と、前記画像データに基づく画像を表示する画像表示部と、を備え、前記判断手段は、前記計時手段が計時した前記検出時間が、第１の経過時間に達したか否かと、第２の経過時間に達したか否かを判断し、前記記録消去手段は、前記判断手段により前記検出時間が第１の経過時間に達したと判断された場合に前記音声データに基づく音声を前記音声出力部から出力することを停止し、次いで、前記判断手段により前記検出時間が第２の経過時間に達したと判断された場合に前記画像データに基づく画像を前記画像表示部に表示することを停止するとともに、前記録画データを記録部に記録することを停止し、前記計時手段が所定の経過時間を計時していた間に記録部に記録された録画データを消去することを特徴とする。
【００１３】
請求項４記載の発明は、請求項２又は３に記載の録画装置において、前記検出手段は、前記放送信号に同期信号が含まれていないことに基づき、前記終了信号を検出することを特徴とする。
【００１４】
請求項５記載の発明は、請求項２又は３に記載の録画装置において、前記検出手段は、前記音声データが特定の周波数を有する音声信号であることと、前記画像データが特定の画像を表示する画像信号であることに基づき、前記終了信号を検出することを特徴とする。
【００１５】
請求項６記載の発明は、請求項２又は３に記載の録画装置において、前記検出手段は、前記音声データに基づく音声の変化量の割合が所定の割合範囲内であることと、前記画像データに基づく画像の変化量の割合が所定の割合範囲内であることに基づき、前記終了信号を検出することを特徴とする。
【発明の効果】
【００１６】
請求項１記載の発明によれば、録画装置において、受信部で受信した所定の放送に関する放送信号に基づく録画データを記録部に記録する際に、所定の放送が終了したことを示す終了信号を検出してから、その終了信号を第１の経過時間に相当する時間継続して検出
した場合に、まず、音声データに基づく音声を音声出力部から出力することを停止することができる。そして、より長い第２の経過時間に相当する時間、その終了信号を継続して検出した場合に、画像データに基づく画像を画像表示部に表示することを停止するとともに、録画データを記録部に記録することを停止し、その所定の経過時間である、例えば、第２の経過時間の間に記録部に記録されてしまった不要な録画データを記録部から消去することができる。
【００１７】
録画装置が、第１の経過時間に相当する時間、終了信号を継続して検出した場合に、音声を音声出力部から出力することを停止することによって、録画装置において所定の放送に関する放送信号の受信が行われていない旨を示す警告を行うとともに、放送終了後の不要な映像である、例えば、「砂嵐画面」における不快なノイズ音が出力されないようにすることができる。また、録画装置が、第２の経過時間に相当する時間、終了信号を継続して検出した場合に、録画データを記録部に記録することを停止し、その所定の経過時間の間に記録部に記録されてしまった不要な録画データを記録部から消去することができる。
【００１８】
つまり、従来の装置のように、終了信号の検出に伴い速やかに録画を停止するようなことに比べ、その終了信号の検出が誤検出によるものだった場合における録画停止の誤作動を低減することができ、所望する放送に関する映像の録画を好適に行うことができる。
【００１９】
また、記録してしまった不要な録画データは、その所定の経過時間に基づき消去することによって、放送終了後の不要な映像が記録されてしまうことがなくなる。よって、記録部に所望する映像などをより長く記録し録画することができる。
【００２０】
特に、録画装置は、受信部が受信した放送信号に応じて所定の放送が終了したことを示す終了信号を検出する基準として、放送信号に同期信号が含まれていないことや、放送信号における音声データが特定の周波数を有する音声信号であることと放送信号における画像データが特定の画像を表示する画像信号であることや、放送信号における音声データに基づく音声の変化量の割合が所定の割合範囲内であることと放送信号における画像データに基づく画像の変化量の割合が所定の割合範囲内であること、を判断基準としている。
【００２１】
ここで、放送信号に同期信号が含まれていないという状態は、放送電波が停波状態となっていることを示し、所定の放送が終了し「砂嵐画面」となる状態に対応しているので、録画装置において、所定の放送が終了し「砂嵐画面」となっている状態では、録画データは記録部に記録されないようになっている。よって、録画装置において放送終了後の不要な映像である「砂嵐画面」が記録部に記録されないようにすることができる。
【００２２】
また、放送信号における音声データが特定の周波数を有する音声信号であり、放送信号における画像データが特定の画像を表示する画像信号である状態は、放送電波が電波試験用の放送電波であることを示し、所定の放送の終了後に「カラーバー画面」や「モノスコ画面」となる状態に対応しているので、録画装置において、所定の放送が終了し「カラーバー画面」や「モノスコ画面」となっている状態では、録画データは記録部に記録されないようになっている。よって、録画装置において放送終了後の不要な映像である「カラーバー画面」や「モノスコ画面」が記録部に記録されないようにすることができる。
【００２３】
また、放送信号における音声データに基づく音声の変化量の割合が所定の割合範囲内であり、放送信号における画像データに基づく画像の変化量の割合が所定の割合範囲内である状態は、音声や画像の変化がほとんどない状態であり、例えば、静かな音声が出力されるか無音状態において放送局周辺の光景の画像が表示される状態に対応しているので、録画装置において、所定の放送が終了し「放送局周辺の光景の画像」となっている状態では、録画データは記録部に記録されないようになっている。よって、録画装置において放送終了後の不要な映像である「放送局周辺の光景の画像」が記録部に記録されないようにすることができる。
【００２４】
請求項２記載の発明によれば、録画装置において、受信部で受信した所定の放送に関す
る放送信号に基づく録画データを記録部に記録する際に、所定の放送が終了したことを示す終了信号を検出してから、その終了信号を所定の経過時間に相当する時間継続して検出した場合に、録画データを記録部に記録することを停止し、その所定の経過時間の間に記録部に記録されてしまった不要な録画データを記録部から消去することができる。
【００２５】
つまり、従来の装置のように、終了信号の検出に伴い速やかに録画を停止するようなことに比べ、その終了信号の検出が誤検出によるものだった場合における録画停止の誤作動を低減することができ、所望する放送に関する映像の録画を好適に行うことができる。
【００２６】
また、記録してしまった不要な録画データは、その所定の経過時間に基づき消去することによって、放送終了後の不要な映像が記録されてしまうことがなくなる。よって、記録部に所望する映像などをより長く記録し録画することができる。
【００２７】
請求項３記載の発明によれば、請求項２に記載の発明と同様の効果が得られることは無論のこと、録画装置において、受信部で受信した所定の放送に関する放送信号に基づく録画データを記録部に記録する際に、所定の放送が終了したことを示す終了信号を検出してから、その終了信号を第１の経過時間に相当する時間継続して検出した場合に、まず、音声データに基づく音声を音声出力部から出力することを停止することができる。そして、より長い第２の経過時間に相当する時間、その終了信号を継続して検出した場合に、画像データに基づく画像を画像表示部に表示することを停止するとともに、録画データを記録部に記録することを停止し、その所定の経過時間である、例えば、第２の経過時間の間に記録部に記録されてしまった不要な録画データを記録部から消去することができる。
【００２８】
つまり、第１の経過時間に相当する時間、終了信号を継続して検出した場合に、音声を音声出力部から出力することを停止することによって、録画装置において所定の放送に関する放送信号の受信が行われていない旨を示す警告を行うとともに、放送終了後の不要な映像である、例えば、「砂嵐画面」における不快なノイズ音が出力されないようにすることができる。そして、第２の経過時間に相当する時間、終了信号を継続して検出した際に、録画データを記録部に記録することを停止し、その所定の経過時間の間に記録部に記録されてしまった不要な録画データを記録部から消去することにより、所望する放送に関する映像の録画を好適に行い、また、放送終了後の不要な映像が記録部に記録されないようにすることができる。
【００２９】
請求項４記載の発明によれば、請求項２又は３に記載の発明と同様の効果が得られることは無論のこと、検出手段は、放送信号に同期信号が含まれていないことに基づき、終了信号を検出することができる。
【００３０】
ここで、放送信号に同期信号が含まれていないという状態は、放送電波が停波状態となっていることを示し、所定の放送が終了し「砂嵐画面」となる状態に対応しているので、録画装置において、所定の放送が終了し「砂嵐画面」となっている状態では、録画データは記録部に記録されないようになっている。
【００３１】
よって、録画装置において放送終了後の不要な映像である「砂嵐画面」が記録部に記録されないようにすることができる。
【００３２】
請求項５記載の発明によれば、請求項２又は３に記載の発明と同様の効果が得られることは無論のこと、検出手段は、音声データが特定の周波数を有する音声信号であることと、画像データが特定の画像を表示する画像信号であることに基づき、終了信号を検出することができる。
【００３３】
ここで、放送信号における音声データが特定の周波数を有する音声信号であり、放送信号における画像データが特定の画像を表示する画像信号である状態は、放送電波が電波試験用の放送電波であることを示し、所定の放送の終了後に「カラーバー画面」や「モノスコ画面」となる状態に対応しているので、録画装置において、所定の放送が終了し「カラーバー画面」や「モノスコ画面」となっている状態では、録画データは記録部に記録されないようになっている。
【００３４】
よって、録画装置において放送終了後の不要な映像である「カラーバー画面」や「モノスコ画面」が記録部に記録されないようにすることができる。
【００３５】
請求項６記載の発明によれば、請求項２又は３に記載の発明と同様の効果が得られることは無論のこと、検出手段は、音声データに基づく音声の変化量の割合が所定の割合範囲内であることと、画像データに基づく画像の変化量の割合が所定の割合範囲内であることに基づき、終了信号を検出することができる。
【００３６】
ここで、放送信号における音声データに基づく音声の変化量の割合が所定の割合範囲内であり、放送信号における画像データに基づく画像の変化量の割合が所定の割合範囲内である状態は、音声や画像の変化がほとんどない状態であり、例えば、静かな音声が出力されるか無音状態において放送局周辺の光景の画像が表示される状態に対応しているので、録画装置において、所定の放送が終了し「放送局周辺の光景の画像」となっている状態では、録画データは記録部に記録されないようになっている。
【００３７】
よって、録画装置において放送終了後の不要な映像である「放送局周辺の光景の画像」が記録部に記録されないようにすることができる。
【発明を実施するための最良の形態】
【００３８】
以下、図面を参照して本発明に係る録画装置の実施の形態について詳細に説明する。
【００３９】
図１は、本発明に係る録画装置の要部構成を示すブロック図である。
【００４０】
図１に示すように、録画装置１００は、放送信号を受信する受信部１０と、受信部１０が受信した放送信号に基づく録画データを記録する記録部２０と、録画データにおける音声データに基づく音声を出力する音声出力部３０と、録画データにおける画像データに基づく画像を表示する画像表示部４０と、上記各部の動作を制御する制御部５０等を備えている。
【００４１】
受信部１０は、例えば、アンテナ機器であり、放送信号を受信するとともに、受信した放送信号を制御部５０に送出する。
【００４２】
記録部２０は、例えば、ＤＶＤ（Digital Versatile Disk）レコーダや、ＨＤＤ（Hard
Disk Drive）レコーダにより構成されており、受信部１０が受信した放送信号に基づく
音声データと画像データとからなる録画データを記録する。
【００４３】
音声出力部３０は、例えば、スピーカ機器であり、受信部１０が受信した放送信号に基づく音声データや、記録部２０に記録されている録画データの音声データに基づく音声を出力する。
【００４４】
画像表示部４０は、例えば、液晶表示機器であり、受信部１０が受信した放送信号に基づく画像データや、記録部２０に記録されている録画データの画像データに基づく画像や映像を表示する。
【００４５】
制御部５０は、例えば、ＣＰＵを備えており、図示しない入力部等から入力される操作入力信号や、予め設定されている設定データ等に応じて、図示しないＲＯＭなどに格納されている録画装置用の各種制御プログラムに従って各部の動作を集中制御し、その処理結果を図示しないＲＡＭ内のワークエリアに格納する。
【００４６】
そして、制御部５０は、録画装置１００を構成する各部の動作を制御する。
【００４７】
そして、制御部５０は、受信部１０が受信した放送信号をデジタルデータである音声データと画像データに変換するとともに、記録部２０に記録する録画制御手段として機能する。
【００４８】
また、制御部５０は、受信部１０が受信した放送信号に基づき、所定の放送が終了したことを示す終了信号を検出する検出手段として機能する。
【００４９】
特に、検出手段としての制御部５０は、放送信号に同期信号が含まれていないことに基づき、終了信号を検出する。
【００５０】
ここで、放送信号に同期信号が含まれていないという状態は、放送電波が停波状態となっていることを示し、所定の放送が終了し「砂嵐画面」となる状態に対応している。
【００５１】
また、検出手段としての制御部５０は、音声データが特定の周波数を有する音声信号であることと、画像データが特定の画像を表示する画像信号であることに基づき、終了信号を検出する。
【００５２】
ここで、放送信号における音声データが特定の周波数を有する音声信号であり、放送信号における画像データが特定の画像を表示する画像信号である状態は、放送電波が電波試験用の放送電波であることを示し、所定の放送の終了後に「カラーバー画面」や「モノスコ画面」となる状態に対応している。
【００５３】
また、検出手段としての制御部５０は、音声データに基づく音声の変化量の割合が所定の割合範囲内であることと、画像データに基づく画像の変化量の割合が所定の割合範囲内であることに基づき、終了信号を検出する。
【００５４】
ここで、放送信号における音声データに基づく音声の変化量の割合が所定の割合範囲内であり、放送信号における画像データに基づく画像の変化量の割合が所定の割合範囲内である状態は、放送電波が停波状態ではなく、また、放送電波が電波試験用の放送電波ではないが、音声や画像の変化がほとんどない状態であり、ＢＧＭ（背景音楽）が静かに流れるか無音状態において放送局周辺の光景の画像が表示される状態に対応している。そして、放送局周辺を車両や人物が通行するなどすれば、それらの動きが画像の変化量となる。
【００５５】
つまり、ＢＧＭの音声は通常放送の際の音声に比べてその音声の変化量の割合は少なく、また、放送局周辺の光景の画像は通常放送の際の画像に比べてその画像の変化量の割合は少ないので、予め定められている音声の変化量の基準値に対して、その放送信号に基づく音声の変化量の割合が１０％以下であり、その放送信号に基づく画像の変化量の割合が１０％以下である場合に、終了信号として検出されるようになっている。なお、通常放送の際の音声や画像の変化量について予め測定や検出が行われて、基準値となる変化量１００％の値が設定されるようになっている。
【００５６】
なお、検出手段としての制御部５０が、放送電波が停波状態となっていることや、放送電波が電波試験用の放送電波であることや、放送電波に基づく音声や画像がＢＧＭと放送局周辺の光景の画像であることを検出する方法は、既知の技術であるので、ここでは詳述しない。
【００５７】
また、制御部５０は、検出手段としての制御部５０が、終了信号を検出し続ける検出時間を計時する計時手段として機能する。
【００５８】
また、制御部５０は、計時手段としての制御部５０が計時した検出時間が、所定の経過時間に達したか否かを判断する判断手段として機能する。
【００５９】
特に、判断手段としての制御部５０は、比較的短い時間である第１の経過時間（例えば、５分）にその検出時間が達したか否か、また、比較的長い時間である第２の経過時間（例えば、１０分）にその検出時間が達したか否かを判断する。なお、所定の経過時間、第１の経過時間や第２の経過時間に関する設定は、任意の時間に設定することが可能になっており、その設定時間は、図示しないＥＥＰＲＯＭなどの記憶手段に記憶され設定されるようになっている。
【００６０】
また、制御部５０は、判断手段としての制御部５０が、検出時間が所定の経過時間に達したと判断した場合に、録画データを記録部２０に記録することを停止するとともに、計時手段としての制御部５０が所定の経過時間を計時していた間に記録部２０に記録された録画データを消去する記録消去手段として機能する。
【００６１】
特に、記録消去手段としての制御部５０は、判断手段としての制御部５０により検出時間が第１の経過時間に達したと判断された場合に音声データに基づく音声を音声出力部３０から出力することを停止し、次いで、判断手段としての制御部５０により検出時間が第２の経過時間に達したと判断された場合に画像データに基づく画像を画像表示部４０に表示することを停止するとともに、録画データを記録部２０に記録することを停止し、計時手段としての制御部５０が所定の経過時間（第２の経過時間）を計時していた間に記録部２０に記録された録画データを消去する。
【００６２】
次に、録画装置１００における、放送信号に基づく録画データの記録処理の一例について、図２に示すフローチャートに基づき説明する。
【００６３】
まず、録画装置１００において、図示しないメインスイッチが押下されたことにより、録画装置１００は受信部１０を介して、選択されたチャンネルなどに応じた所定の放送に関する放送信号を受信する（ステップＳ１０１）。
【００６４】
そして、制御部５０は、受信した放送信号をデジタルデータである音声データと画像データに変換するとともに、音声データと画像データからなる録画データを記録部２０に記録し、映像を録画する（ステップＳ１０２）。なお、録画処理の際に、この音声データに基づく音声は音声出力部３０から出力され、画像データに基づく画像や映像は画像表示部４０に表示される。
【００６５】
次いで、制御部５０は、所定の放送が終了したことを示す終了信号を監視し、終了信号を検出したか否かを判断する（ステップＳ１０３）。
【００６６】
そして、制御部５０が、終了信号を検出していないと判断すると（ステップＳ１０３；Ｎｏ）、ステップＳ１０１に戻る。
【００６７】
一方、制御部５０が、終了信号を検出したと判断すると（ステップＳ１０３；Ｙｅｓ）、制御部５０は、タイマーをスタートし、その終了信号を検出し続ける検出時間を計時する（ステップＳ１０４）。
【００６８】
次いで、制御部５０は、検出時間が第１の経過時間（ｎ１）である５分に達したか否かを判断する（ステップＳ１０５）。
【００６９】
そして、制御部５０が、検出時間が第１の経過時間である５分に達していないと判断すると（ステップＳ１０５；Ｎｏ）、制御部５０は、終了信号を検出し続けているか否かを判断する（ステップＳ１０６）。
【００７０】
制御部５０が、終了信号を検出し続けていると判断すると（ステップＳ１０６；Ｙｅｓ）、ステップＳ１０５に戻る。
【００７１】
一方、制御部５０が、終了信号を検出し続けていないと判断すると（ステップＳ１０６；Ｎｏ）、ステップＳ１１７へ進む。
【００７２】
一方、制御部５０が、検出時間が第１の経過時間である５分に達したと判断すると（ステップＳ１０５；Ｙｅｓ）、制御部５０は、音声出力部３０からの音声の出力を停止（音声ミュート）し（ステップＳ１０７）、画像表示部４０に所定の放送に関する放送信号の受信が行われていない旨を示す警告メッセージを表示する（ステップＳ１０８）。
【００７３】
次いで、制御部５０は、検出時間が第２の経過時間（ｎ２）である１０分（第１の経過時間後、更に５分経過）に達したか否かを判断する（ステップＳ１０９）。
【００７４】
そして、制御部５０が、検出時間が第２の経過時間である１０分に達していないと判断すると（ステップＳ１０９；Ｎｏ）、制御部５０は、終了信号を検出し続けているか否かを判断する（ステップＳ１１０）。
【００７５】
制御部５０が、終了信号を検出し続けていると判断すると（ステップＳ１１０；Ｙｅｓ）、ステップＳ１０９に戻る。
【００７６】
一方、制御部５０が、終了信号を検出し続けていないと判断すると（ステップＳ１１０；Ｎｏ）、ステップＳ１１５へ進む。
【００７７】
一方、制御部５０が、検出時間が第２の経過時間である１０分に達したと判断すると（ステップＳ１０９；Ｙｅｓ）、制御部５０は、画像表示部４０に画像を表示することを停止（画像ミュート）し（ステップＳ１１１）、録画データを記録部２０に記録し録画することを停止する（ステップＳ１１２）。
【００７８】
次いで、制御部５０は、終了信号を検出し始めたタイミングであり、第２の経過時間である１０分前にさかのぼるようにして、その１０分間分の録画データを記録部２０から消去する（ステップＳ１１３）。
【００７９】
そして、制御部５０は、録画装置１００の電源をオフにして（ステップＳ１１４）、録画処理を終了する。
【００８０】
ステップＳ１１５において、制御部５０は、画像表示部４０における警告メッセージの表示を消去し（ステップＳ１１５）、次いで、音声出力部３０から音声を出力するように復帰させ（ステップＳ１１６）、ステップＳ１１７へ進む。
【００８１】
ステップＳ１１７において、制御部５０は、タイマーをリセット（検出時間＝０分）し、ステップＳ１０１に戻る。
【００８２】
このように、本発明に係る録画装置１００によれば、所望する放送に関する映像などの録画を行っている際に、所定の放送が終了したことを示す終了信号を検出してから、その終了信号を所定の経過時間に相当する時間（検出時間）継続して検出した場合に、録画を停止するようになっているので、従来の装置のように、終了信号の検出に伴い速やかに録画を停止するようなことに比べ、その終了信号が誤検出によるものだった場合における録画停止の誤作動を低減することができ、所望する放送に関する映像の録画を好適に行うことができる。
【００８３】
そして、その終了信号が誤検出によるものであるか否かを判断するために、インターバルとしてとられた所定の経過時間の間に記録部２０に記録されて録画されてしまった不要な録画データ（例えば、「砂嵐画面」、「カラーバー画面」、「モノスコ画面」、「放送局周辺の光景の画像」等）は、その所定の経過時間に基づき、記録部２０から消去することができるので、放送終了後の不要な映像が記録されてしまうことがなくなる。
【００８４】
よって、記録部２０に所望する映像などをより長く記録し録画することができる。
【００８５】
特に、記録部２０が、ＤＶＤとＨＤＤとが併用されているタイプのものである場合、記録部２０における映像等の記録、録画をそれぞれに切り替えて行うことができる。
【００８６】
例えば、まず、映像（録画データ）はＤＶＤに録画されるようにし、終了信号が検出された際に、映像（録画データ）がバッファーであるＨＤＤに録画されるように切り替える。
【００８７】
そして、終了信号が誤検出であった場合には、ＨＤＤからＤＶＤにその映像（録画データ）を移すとともに、ＤＶＤに対する録画を再開する。
【００８８】
一方、終了信号が所定の経過時間継続して検出された場合には、ＨＤＤに録画された不要な映像（録画データ）を消去する。
【００８９】
このような記録方式であれば、不要な映像がＤＶＤに記録されることがないので、ＤＶＤにおいて、不要な映像の上に、所望する映像を上書きして記録することがなくなる。
【００９０】
よって、ＤＶＤにおいてノイズなどがより少ない状態で映像等を記録することができ、また、不要な映像の録画のためにＤＶＤが使用されないので、ＤＶＤなどのメディアの延命を図ることができる。
【００９１】
なお、以上の実施の形態においては、記録部２０として、ＤＶＤやＨＤＤの例について説明したが、本発明はこれに限定されるものではなく、記録部としてＶＣＲ（Video Cassette Recorder）を用いるようにしてもよい。
【００９２】
記録部としてＶＣＲを用いる場合、所定の経過時間の間に記録部２０に記録されて録画されてしまった不要な録画データを消去するためには、その所定の経過時間分、ビデオカセットを巻き戻して不要な録画データの映像を消去する。
【００９３】
また、以上の実施の形態においては、まず、第１の経過時間（ｎ１＝５分）に達し際に音声出力部３０からの音声の出力を停止し、次いで、第２の経過時間（ｎ２＝１０分）に達し際に画像表示部４０における画像表示を停止して、録画を停止するとしたが、本発明はこれに限定されるものではなく、所定の経過時間に達した際に音声の出力と画像の表示を同時に停止し、録画を停止するようにしてもよい。
【００９４】
また、以上の実施の形態においては、録画してしまった不要な映像を消して、その部分を無記録状態とするために録画データが消去されるようにしたが、本発明はこれに限定されるものではなく、次回の録画の際に、その不要な録画データに対して所望する映像を上書きするようにして、不要な録画データを消去するようにしてもよい。
【００９５】
また、その他、具体的な細部構造等についても適宜に変更可能であることは勿論である。
【図面の簡単な説明】
【００９６】
【図１】本発明に係る録画装置の要部構成を示すブロック図である。
【図２】本発明に係る録画装置の録画処理の一例を示すフローチャートである。
【符号の説明】
【００９７】
１０    受信部
２０    記録部
３０    音声出力部
４０    画像表示部
５０    制御部（検出手段、計時手段、判断手段、記録消去手段）
１００  録画装置
【図１】
2006217115.tif 000003
【図２】
2006217115.tif 000004